(57)【要約】【課題】監視制御システムの警報装置における警報音は、予め設定された一定の音量となっているため、監視室から離れると異常把握が出来ない場合が生ずる。【解決手段】監視部から出力される警報音がブザー等の警報器の場合には、監視部よりのデジタル出力とボリューム調整用のアナログ信号とを組み合わせ、時系列にてアナログ信号の出力幅を大きくしてボリュームを制御する。また、監視部から出力される警報音がスピーカへの電子音鳴動の場合には、ＡＰＩを用いてＷＡＶファイル出力のボリュームを制御する。【選択図】　図１
2004094474.tif 000002
【特許請求の範囲】
【請求項１】
被監視機器の情報を監視部にて監視し、異常状態発生時にはデジタル信号を出力部を介してボリューム調整手段を有する警報器に出力して鳴動させるものにおいて、
前記監視部にアナログ信号を出力する出力部を設けると共に、所定時間毎に警報信号の出力有無を判断し、出力なし時にはカウンタを０にクリアし、警報信号の出力あり時にはカウンタをインクリメントしながら所定電圧値に設定する電圧設定手段を設け、この電圧設定手段での電圧値が所定値に達したとき前記アナログ信号の出力部を介して前記警報器に信号を出力し、この信号にて警報器のボリュームを制御するよう構成したことを特徴とした監視制御システムの警報装置。
【請求項２】
前記電圧設定手段の設定値は、時系列的に徐々に大きくなるよう設定されることを特徴とした請求項１記載の監視制御システムの警報装置。
【請求項３】
被監視機器の情報を監視部にて監視し、異常状態発生時にはデジタル信号を出力部を介してボリューム調整手段を有する警報器に出力して鳴動させるものにおいて、
前記監視部に所定時間毎に警報信号の出力有無を判断し、出力なし時にはカウンタを０にクリアし、警報信号の出力あり時にはカウンタをインクリメントしながらボリュームレベルを設定するレベル設定手段を設け、このレベル設定手段の値が所定値に達したとき出力を発生し、この出力により前記監視部のアプリケーション・プログラム・インタフェースを用いて音声ファイル出力のボリュームを制御するよう構成したことを特徴とした監視制御システムの警報装置。
【請求項４】
前記レベル設定手段の設定値は、時系列的に徐々に大きくなるよう設定されることを特徴とした請求項３記載の監視制御システムの警報装置。
【発明の詳細な説明】
【０００１】
【発明の属する技術分野】
本発明は、監視制御システムに用いられる警報装置に関するものである。
【０００２】
【従来の技術】
プラントや機械設備の状態を把握するために被監視機器の情報を監視し、その監視情報に基づいてプラントや機械設備の状態を正しく把握し、望ましい状態に操作するために監視制御システムが設置されている。
この監視制御システムには、監視制御のためのマンマシンシステムが配設されており、その代表的な機器として表示装置や操作機器とともに、音声出力装置が設けられ、ベル、ブザー、チャイム等によってオペレータに警報や制御結果を知らせるようになっている。
【０００３】
図４は、例として遠方監視装置の警報装置の構成図を示したものである。被監視機器よりの情報はインタフェース１を介してテレコン装置２に導入され、被監視機器の状態変化や送受信処理が行われて集中監視制御システムの監視部３に送られる。監視部３は、被監視部の異常検出時にデジタル信号を出力部４に出力し、リレー５を動作させてベル等の警報器を鳴動させる。
なお、監視部３よりの異常検出信号によって電子音を鳴動させる場合には、破線で示すサンドブラスタ７を介してスピーカ８を振動させて電子音鳴動させる。
【０００４】
【発明が解決しようとする課題】
上記した警報装置において、ブザー等による警報鳴動や電子音鳴動の場合には設置されている部屋での適性音量に設定されている。このため、設置された部屋より離れた他の部屋においては音量不足となって警報音の認識が困難となる場合が生じ、異常状態時の適切な対応が遅れて効率的なプラント運転が損なわれる惧れを有している。
これを防止するために、予め監視室から離れることを想定して音量を大きくしておくと、監視室内にオペレータが在室していた場合には鳴動音が大きすぎてストレスになる問題を有している。
【０００５】
本発明が目的とするところは、鳴動音を徐々に音量大方向に移行させることにより異常認識が確実にできる警報装置を提供することにある。
【０００６】
【課題を解決するための手段】
本発明の第１は、被監視機器の情報を監視部にて監視し、異常状態発生時にはデジタル信号を出力部を介してボリューム調整手段を有する警報器に出力して鳴動させるものにおいて、
前記監視部にアナログ信号を出力する出力部を設けると共に、所定時間毎に警報信号の出力有無を判断し、出力なし時にはカウンタを０にクリアし、警報信号の出力あり時にはカウンタをインクリメントしながら所定電圧値に設定する電圧設定手段を設け、この電圧設定手段での電圧値が所定値に達したとき前記アナログ信号の出力部を介して前記警報器に信号を出力し、この信号にて警報器のボリュームを制御するよう構成したことを特徴としたものである。
【０００７】
本発明の第２は、前記電圧設定手段の設定値は、時系列的に徐々に大きくなるよう設定されることを特徴としたものである。
【０００８】
本発明の第３は、被監視機器の情報を監視部にて監視し、異常状態発生時にはデジタル信号を出力部を介してボリューム調整手段を有する警報器に出力して鳴動させるものにおいて、
前記監視部に所定時間毎に警報信号の出力有無を判断し、出力なし時にはカウンタを０にクリアし、警報信号の出力あり時にはカウンタをインクリメントしながらボリュームレベルを設定するレベル設定手段を設け、このレベル設定手段の設定値が所定値に達したとき出力を発生し、この出力により前記監視部のアプリケーション・プログラム・インタフェースを用いて音声ファイル出力のボリュームを制御するよう構成したことを特徴としたものである。
【０００９】
本発明の第４は、前記レベル設定手段の設定値は、時系列的に徐々に大きくなるよう設定されることを特徴としたものである。
【００１０】
【発明の実施の形態】
図１は、本発明の実施形態を示すもので、図４での警報装置に出力部１０を追加したものである。出力部１０は図２のフローに基づいて動作を実行して監視部３よりアナログの異常信号を受け、時系列的にアナログ信号の出力幅を大きくして警報器６のボリュームを制御する。
【００１１】
図２のステップＳ１において、例えば１秒毎に点検が自動的に繰り返され、ステップ２において警報出力の有無判断が行われる。Ｓ２で警報出力なしの場合にはＳ４でカウンタを０にクリアし、また、警報信号が出力中の場合にはステップＳ３においてカウンタをインクリメントする。Ｓ５では、例えば１０秒毎に音量変化信号として出力すべくカウントし、１０秒となったＳ６において所定値に上昇したアナログの電圧信号として警報器６のボリューム制御部に出力する。
なお、Ｓ１〜Ｓ５によって電圧設定手段が構成される。
【００１２】
一方、警報器６には、出力部４に入力されたディジタル信号に基づき、リレー５を介して印加された信号で鳴動しているが、この警報器６のボリューム制御部には所定時間幅（ここでは１０秒）をもって、しかも時系列的にアナログ信号が印加されてボリュームを徐々に大きく制御する。したがって、鳴動音は、最初は在室時の適宜な設定音量より徐々に大きくなり、監視室から離れていても警報の発生を確認することが出来る。
【００１３】
図３は、ソフトウエアの追加のみで鳴動音を可変するようにした他の実施形態を示したものである。
監視部３として使用されるパソコンには、図４破線部で示すようにサンドブラスタ７を介してスピーカ８に電子音信号を供給して鳴動させる機能が付帯されている。この実施形態はこの機能を利用するもので、例えば、Ｗｉｎｄｏｗｓ（マイクロソフト社のＯＳ）のＡＰＩ（Ａｐｐｌｉｃａｔｉｏｎ　Ｐｒｏｇｒａｍ　Ｉｎｔｅｒｆａｃｅ）を用い、音声ファイルを示す拡張子であるＷＡＶファイルの出力ボリュームを制御するものである。
【００１４】
図３において、ステップＳ１１で例えば１秒毎に点検が自動的に繰り返され、ステップ１２において警報出力の有無判断が行われる。Ｓ１２で警報出力なしの場合にはＳ１４でカウンタを０にクリアし、また、警報信号が出力中の場合にはステップＳ１３においてカウンタをインクリメントする。Ｓ１５では、音量調節手段において例えば１０秒毎に音量変化信号として出力すべくカウントし、１０秒となったときＳ１６においてＡＰＩによるＷＡＶファイルの出力ボリュームを制御する。音声ファイルはメモリカートに録音されており、その出力ボリュームを制御することによってスピーカ８よりの電子音は、所定時間間隔を有して徐々に大きくなる。
なお、Ｓ１２〜Ｓ１５によってボリュームレベル設定手段が構成される。
【００１５】
【発明の効果】
以上のとおり、本発明によれば、ブザー等の警報器の場合には、監視部よりのデジタル出力とボリューム調整用のアナログ信号とを組み合わせ、時系列にてアナログ信号の出力幅を大きくしてボリュームを制御し、また、スピーカへの電子音鳴動の場合には、ＡＰＩを用いてＷＡＶファイル出力のボリュームを制御することにより鳴動音が徐々に大きくなり、オペレータが監視室から離れていても警報発生の確認が可能となる。
また、オペレータが在室の場合には、いきなり大きな警報音が鳴動しないためオペレータはストレスを感じることは無くなるものである。
【図面の簡単な説明】
【図１】本発明の実施形態を示す構成図。
【図２】本発明の動作を示すフローチャート図。
【図３】本発明の動作を示すフローチャート図。
【図４】従来の監視制御システムの警報装置を示す構成図。
【符号の説明】
１…インタフェース
２…テレコン装置
３…監視部
４…出力部
５…リレー
６…警報器
７…サンドブラスタ
８…スピーカ
【図１】
2004094474.tif 000003
【図２】
2004094474.tif 000004
【図３】
2004094474.tif 000005
【図４】
2004094474.tif 000006